Podtech/llm-jp-corpus-v4-ja_patent huggingface dataset:
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常演出状態と特別演出状態とを含む複数種類の演出状態の間で演出状態を移行させ、通常演出状態において演出状態を特別演出状態に移行させるか否かを決定する特定抽選を行い、特定抽選に当選したことに基づいて演出状態を特別演出状態に移行させる特別演出制御手段と、
通常区間と有利区間とを設定可能であって、通常区間において前記特定抽選に当選したことに基づいて有利区間を開始させて有利区間においてクリアカウンタを更新し、クリアカウンタの値が所定値に達したことに基づいて有利区間を終了させて演出状態を前記通常演出状態に初期化するとともに、前記特定抽選の当選確率を初期確率に初期化する初期化処理を実行する初期化手段と、
前記特別演出状態である場合に所定の役の入賞を補助する入賞補助演出を演出装置に実行させる制御を行う演出制御手段と、
を備えた遊技機であって、
前記初期化手段が、
前記有利区間の終了時において演出状態が前記特別演出状態である場合には当該特別演出状態について予め定められた終了条件が成立していなくても前記初期化処理によって強制的に当該特別演出状態を終了させ、
前記有利区間において演出状態が前記特別演出状態に設定され、当該特別演出状態が終了して演出状態が前記通常演出状態に滞在することになっても前記有利区間である場合が存在し、
前記特別演出制御手段が、
前記通常区間では、前記特定抽選の当選確率を初期確率で一定とし、前記有利区間では、前記特定抽選の当選確率を所定条件下で変動させることを特徴とする遊技機。
【請求項２】
請求項１において、
前記初期化手段が、
前記有利区間で前記特定抽選が実行され得る状況において前記有利区間に滞在していることを報知することを特徴とする遊技機。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
重合体を含む外殻と、前記外殻内に封入された発泡剤と、を含み、下記式（１）を満たすマイクロスフェアーであって、
前記発泡剤は、ヘキサン７５〜１００重量％及びその他の発泡剤０〜２５重量％からなり、
前記重合体は、ビニル単量体に由来する構造単位を含む重合体であって、メタクリロニトリル由来の構造単位とメタクリル酸由来の構造単位とを主成分として含む共重合体を含有し、
前記ビニル単量体に由来する構造単位全体に対し、前記メタクリロニトリル由来の構造単位と前記メタクリル酸由来の構造単位との合計の含有量は９０〜１００重量％であり、その他のビニル単量体由来の構造単位の含有量は０〜１０重量％であるマイクロスフェアー。
２０≦Ｔｓ−Ｔｇ≦７５（℃）      （１）
（式中、Ｔｓ（℃）は、前記マイクロスフェアーの発泡開始温度を表し、Ｔｇ（℃）は、前記重合体のガラス転移温度を表す。）
【請求項２】
下記式（２）を満たす請求項１に記載のマイクロスフェアー。
Ｔｍａｘ−Ｔｓ≦４０（℃）      （２）
（式中、Ｔｍａｘ（℃）は、前記マイクロスフェアーの最大発泡温度を表し、Ｔｇ（℃）は、前記の通りである。）
【請求項３】
下記式（１００）を満たす請求項１又は２に記載のマイクロスフェアー。
３０≦Ｔｓ−Ｔｇ≦５５（℃）      （１００）
（式中、Ｔｓ（℃）及びＴｇ（℃）は、前記の通りである。）
【請求項４】
請求項１〜３のいずれか１項に記載のマイクロスフェアーと、熱可塑性樹脂、熱硬化性樹脂、及び繊維からなる群より選択される少なくとも１種と、を含有する熱発泡性樹脂組成物。
【請求項５】
請求項１〜３のいずれか１項に記載のマイクロスフェアーの発泡体粒子と、熱可塑性樹脂、熱硬化性樹脂、及び繊維からなる群より選択される少なくとも１種と、を含有する発泡成形体。
【請求項６】
請求項１〜３のいずれか１項に記載のマイクロスフェアーと、熱可塑性樹脂、熱硬化性樹脂、及び繊維からなる群より選択される少なくとも１種と、を含有する熱発泡性樹脂組成物からなる未発泡成形体を、前記マイクロスフェアーの発泡開始温度以上の温度で加熱する工程を含む、発泡成形体の製造方法。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
積層された複数のシート間に部品が配置された積層製品を製造するためのシート積層治具であって、
ステージと、
複数のシートを保持するシート保持側面を有し、前記シート保持側面が前記ステージ上のワークスペースに向かうように前記ステージの上に配置されたシート保持部と、
複数の部品を保持する部品保持側面を有し、前記部品保持側面が前記ワークスペースを介して前記シート保持側面と対向配置されるように、前記ステージの上に配置された部品保持部と、
前記複数のシートを前記シート保持側面に沿って保持するシート保持ガイドと、
前記複数の部品を前記部品保持側面に沿って保持する部品保持ガイドと、
前記シート保持部に設けられ、前記複数のシートの端部において、前記複数のシート間に隙間を生じさせる磁力を発生させる磁気回路と、を備えたシート積層治具。
【請求項２】
前記シート保持側面に沿った前記複数のシートの内の一枚のシートを前記ワークスペースに向けて倒すよう、前記磁気回路の磁力によって前記複数のシート間に隙間が生じた状態で、前記一枚のシートを把持するシート把持部材をさらに備えた請求項１に記載のシート積層治具。
【請求項３】
前記磁気回路は、
第１の方向に並んで配置された複数の磁石であって、隣り合う磁石の同極同士が向かうように配置された複数の磁石と、
前記各磁石の両端側に配置された第１継鉄と、
前記各第１継鉄に対応する位置に配置された非磁性材と、
前記磁石に対応する位置に配置された第２継鉄と、を有している請求項１、又は２に記載のシート積層治具。
【請求項４】
前記複数の磁石が永久磁石であり、
前記第２継鉄と前記非磁性材とが前記第１の方向に移動可能に設けられている請求項３に記載のシート積層治具。
【請求項５】
前記第１の方向が前記シート保持側面に沿った方向であり、
３つ以上の前記永久磁石が前記第１の方向に並んで配置されており、
前記第１の方向において、前記シート保持側面の一端部に配置された前記永久磁石の磁力より、前記シート保持側面の中央部分、及び前記シート保持側面の他端部に配置された前記永久磁石の磁力が弱い、請求項４記載のシート積層治具。
【請求項６】
前記複数の磁石が電磁石である請求項３に記載のシート積層治具。
【請求項７】
３つ以上の前記電磁石が前記第１の方向に並んで配置されており、
前記第１の方向が前記シート保持側面に沿った方向であり、
前記第１の方向において、前記シート保持側面の端部に配置された前記電磁石の磁力より、前記前記シート保持側面の中央部分、及び前記シート保持側面の他端部に配置された前記電磁石の磁力の方が弱くなるように、前記電磁石に電流を流す請求項６に記載のシート積層治具。
【請求項８】
前記部品保持側面に沿った保持された前記複数の部品と、前記部品保持側面との間に挿入される部品めくり部材をさらに備え、
前記部品めくり部材の挿入方向に沿って、前記複数の部品が並んで配置されており、
前記部品めくり部材が前記複数の部品の中から部品を１つずつ前記ワークスペースに向けて倒していく請求項１〜７のいずれか１項に記載のシート積層治具。
【請求項９】
前記磁気回路は、
永久磁石と、
前記永久磁石の一端部側に配置された第１継鉄と、他端部側に配置された第２継鉄と、
前記永久磁石の上端部側に配置された第１非磁性体と、下端部側に配置された第２非磁性体と、を有している、請求項１、又は２に記載のシート積層治具。
【請求項１０】
前記永久磁石は、前記シート保持側面の第１の方向に沿った回転軸を中心として回転可能である請求項９に記載のシート積層治具。
【請求項１１】
請求項１〜８のいずれか１項に記載のシート積層治具を用いて、積層製品を製造する製造方法であって、
前記ステージの上に、前記シート保持部と前記複数のシートとを設置する工程と、
前記ワークスペースに配置された前記複数のシートを持ち上げることで、前記複数のシートを前記シート保持側面に沿って保持する工程と、
前記ステージの上に、前記部品保持部と前記複数の部品とを設置する工程と、
前記ワークスペースに配置された前記複数の部品を持ち上げることで、前記複数の部品を前記部品保持側面に沿って保持する工程と、
前記磁気回路を用いて、前記複数のシートの端部において、前記複数のシート間に隙間を生じさせる工程と、
前記複数のシート間に隙間を生じさせた状態で前記ワークスペースに向けて、前記複数のシートのうちの最表面のシートを倒した後、前記最表面のシートの上に前記複数の部品の内の１つ以上の部品を倒す工程と、を備えた積層製品の製造方法。
【請求項１２】
請求項１０に記載のシート積層治具を用いて、積層製品を製造する製造方法であって、
前記永久磁石の一方の極を前記第１非磁性体、及び他方の極を前記第２非磁性体に対応する位置に配置させた状態で、前記シートを前記シート保持側面に保持する第１工程と、
前記永久磁石を前記回転軸に沿って回転させて、前記永久磁石の一方の極を前記第１継鉄に対応する位置、及び他方の極を前記第２継鉄に対応する位置に移動させる第２工程と、を行う積層製品の製造方法。
【請求項１３】
請求項１１、又は１２に記載の積層製品の製造方法によって、シート状二次電池を製造するシート状二次電池の製造方法であって、
前記シートが充電層を備える単位電池シートであり、
前記部品が前記単位電池シートに接続される電極であるシート状二次電池の製造方法。
【手続補正書】
【提出日】令和1年5月22日(2019.5.22)
【手続補正１】
【補正対象書類名】明細書
【補正対象項目名】０００３
【補正方法】変更
【補正の内容】
【０００３】
自動車部品分野では、ポリプロピレンを単体で用いるほか、ポリプロピレンにエチレン−プロピレン共重合体（ＥＰＲ）、エチレン−ブテン共重合体（ＥＢＲ）、エチレン−オクテン共重合体（ＥＯＲ）、スチレン−ブタジエン共重合体（ＳＢＲ）、ポリスチレン−エチレン/ブテン−ポリスチレントリブロック共重合体（ＳＥＢＳ）等のゴム成分を添加して衝撃性を改善した材料（例えば、特許文献１）、タルク、マイカ、ガラス繊維等の無機充填材を添加し、剛性を改善した材料、ゴム成分、無機充填材を添加し優れた機械物性を付与したブレンドポリマーが使用されている（例えば、特許文献２）。
【手続補正２】
【補正対象書類名】明細書
【補正対象項目名】００３０
【補正方法】変更
【補正の内容】
【００３０】
エチレン・α−オレフィン共重合体を構成するα−オレフィンとしては、炭素原子数３〜１０のα−オレフィンが好ましく、その具体例としては、プロピレン、１−ブテン、１−ヘキセン、１−オクテン等が挙げられる。エチレン・α−オレフィン共重合体のメルトフローレート（ＭＦＲ）は、好ましくは０.５ｇ／１０分以上１０ｇ／１０分未満、より好ましくは１.５ｇ／１０分以上１０ｇ／１０分未満である。
【手続補正３】
【補正対象書類名】明細書
【補正対象項目名】００３１
【補正方法】変更
【補正の内容】
【００３１】
エチレン・α−オレフィン・ジエン共重合体を構成するα−オレフィンとしては、炭素原子数３〜１０のα−オレフィンが好ましく、その具体例としては、プロピレン、１−ブテン、１−ヘキセン、１−オクテン等が挙げられる。また、ジエンの具体例としては、５−エチリデン−２−ノルボルネン、５−プロピリデン−２−ノルボルネン、ジシクロペンタジエン、５−ビニル−２−ノルボルネン等が挙げられる。エチレン・α−オレフィン・ジエン共重合体のメルトフローレート（ＭＦＲ）は、好ましくは０.４ｇ／１０分未満、より好ましくは０.０５ｇ／１０分以上０.３５ｇ／１０分以下である。
【手続補正４】
【補正対象書類名】明細書
【補正対象項目名】００４０
【補正方法】変更
【補正の内容】
【００４０】
以上説明した樹脂組成物は、各樹脂成分および必要に応じて用いられる添加剤を、例えばバンバリーミキサー、単軸押出機、２軸押出機、高速２軸押出機等の混合装置により混合または溶融混練して得ることができる。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
記録媒体に記録を行う記録部を内部に保持し、前記記録部によって記録された前記記録媒体を排出する排出ローラー対を支持する第１の筐体と、
前記第１の筐体の外側に配置される第２の筐体と、
所定の第１の後処理を行う第１の後処理部を内部に保持し、前記排出ローラー対によって排出される前記記録媒体を受け取り前記第１の後処理部側に搬送する搬送ローラー対を支持する第３の筐体と、
前記第１の筐体に対する前記第２の筐体の位置を規定し、前記第１の筐体と前記第２の筐体とを連結する第１の連結部と、
前記第２の筐体に対する前記第３の筐体の位置を規定するとともに、前記第３の筐体から受ける荷重を前記第２の筐体に掛けて、前記第２の筐体と前記第３の筐体とを連結する第２の連結部と、を備えたことを特徴とする記録システム。
【請求項２】
請求項１に記載された記録システムであって、
前記第１の後処理部から排出される前記記録媒体を受け取り、前記記録媒体に対する所定の第２の後処理を行う第２の後処理部を内部に保持する第４の筐体を備えたことを特徴とする記録システム。
【請求項３】
請求項１又は請求項２に記載された記録システムであって、
前記第２の連結部は、前記第２の筐体と前記第３の筐体のうちの、一方に設けられて他方側に突出する突出部と、他方に設けられて一方側に開口する穴部と、を有し、
前記突出部が前記穴部に嵌合することによって、前記第２の筐体に対する前記第３の筐体の位置が規定されることを特徴とする記録システム。
【請求項４】
請求項１から請求項３のいずれか一項に記載された記録システムであって、
前記第３の筐体の底部における前記第２の筐体側と反対側には、設置面に接し、前記第３の筐体から受ける荷重の一部を受ける荷重受け部が設けられ、前記第３の筐体の底部における前記第２の筐体側は、前記設置面に当接しないことを特徴とする記録システム。
【請求項５】
請求項１から請求項４のいずれか一項に記載された記録システムであって、
前記第２の連結部は、前記第３の筐体に設けられて回動可能な係合部と、前記第２の筐体に設けられて前記係合部と係合可能な被係合部と、を有し、
前記係合部は、回動方向における一方の方向に回動させると前記被係合部と係合する状態になり、回動方向における他方の方向に回動させると前記被係合部と係合しない状態になることを特徴とする記録システム。
【請求項６】
請求項１から請求項５のいずれか一項に記載された記録システムであって、
前記第２の筐体は、前記第１の連結部及び前記第２の連結部よりも下方で前記第３の筐体と対向する位置に、第１の当接部材を有し、
前記第３の筐体は、前記第１の当接部材に対向する位置に第２の当接部材を有し、
前記第１の当接部材と前記第２の当接部材とが当接することで、前記第２の筐体と前記第３の筐体とが並ぶ方向の位置が規定されることを特徴とする記録システム。
【請求項７】
請求項１から請求項６のいずれか一項に記載された記録システムであって、
前記第２の筐体は、前記第１の筐体の下方に配置され、
前記第３の筐体は、前記第１の筐体と前記第２の筐体の側方において接地面に配置されることを特徴とする記録システム。
【請求項８】
請求項７記載された記録システムであって、
前記第１の当接部材は導電性部材であり、
前記第１の当接部材は前記第３の筐体側に張り出す張出部を有し、当該張出部には前記第３の筐体の内部と導通する導通部材が配置されることを特徴とする記録システム。
【請求項９】
請求項８に記載された記録システムであって、
前記導通部材は、弾性をもって前記第３の筐体の内部と導通することを特徴とする記録システム。
【手続補正２】
【補正対象書類名】明細書
【補正対象項目名】０１１７
【補正方法】変更
【補正の内容】
【０１１７】
図１０のレバー８１２を回動方向Ｄ１における反時計回りの方向に回動させると、図１４のフック８１０は、棒状部材８１１を支点として回動方向Ｄ２における反時計回りの方向に回動し、フック８１０は円柱状部材８０１と非係合の状態になる。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
レンズ部と、前記レンズ部の外側に形成されたリブ部と、前記リブ部から外側に突出した突出部を有し、前記リブ部の厚みは、前記レンズ部のレンズ面の開口端の厚みの１．４倍以上であることを特徴とするプラスチックレンズ。
【請求項２】
前記突出部の厚みｃは、前記開口端の厚みをａ、前記リブ部の厚みをｂとしたときに以下の式を満足することを特徴とする請求項１記載のプラスチックレンズ。
（ｃ−ａ）≧（ｂ−ａ）／２
【請求項３】
前記レンズ部の直径は１０ｍｍ以下であり、最小肉厚が０．５ｍｍ以下であることを特徴とする請求項１または２記載のプラスチックレンズ。
【請求項４】
前記突出部は、円柱形状であることを特徴とする請求項１乃至３いずれか一項記載のプラスチックレンズ。
【請求項５】
前記突出部の、前記リブ部と接合されている領域は、前記リブ部の光軸方向から見た外周の長さに対して、３％以上１０％以下の長さを有していることを特徴とする請求項１乃至４いずれか一項記載のプラスチックレンズ。
【請求項６】
前記突出部を、反ゲート痕側に１つ有していることを特徴とする請求項１乃至５いずれか１項記載のプラスチックレンズ。
【請求項７】
前記突出部を３つ有していることを特徴とする請求項１乃至６いずれか１項記載のプラスチックレンズ。
【請求項８】
請求項１乃至７いずれか一項記載のプラスチックレンズを有する光学機器。
【請求項９】
請求項１乃至７いずれか一項記載のプラスチックレンズを転写する形状が形成された固定側駒および可動側駒を突き合わせてキャビティを形成し、前記キャビティに樹脂を注入して成形することを特徴とするプラスチックレンズの製造方法。
【請求項１０】
前記プラスチックレンズを転写する形状は旋削加工によって加工されていることを特徴とする請求項９記載のプラスチックレンズの製造方法。
【手続補正２】
【補正対象書類名】明細書
【補正対象項目名】発明の名称
【補正方法】変更
【補正の内容】
【発明の名称】プラスチックレンズ、光学機器、およびプラスチックレンズの製造方法
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
常時入球可能な第１特図始動口と、可変入賞装置内に設けた第２特図始動口と、普図作動口とを備え、
前記第１特図始動口、又は前記第２特図始動口への入球に起因して当否を判定する特図当否判定手段と、
前記普図作動口への入球に起因して当否を判定する普図当否判定手段と、
該普図当否判定手段が当選と判定したことに基づいて、前記可変入賞装置を開放させる普図当り遊技と、
前記特図当否判定手段が小当りと判定したことに基づいて特定領域を備えた大入賞口を開放する小当り遊技と、
前記特図当否判定手段が大当りと判定、又は前記小当り遊技にて遊技球が前記特定領域を通過したことに基づいて実行する大当り遊技と、
該大当り遊技終了後に前記可変入賞装置への入球が通常遊技状態時より容易となる開放延長状態を付与可能な弾球遊技機であって、
所定の発射強度未満の発射強度で発射された遊技球が主に流下する第１遊技領域と、所定の発射強度以上の発射強度で発射された遊技球が主に流下する第２遊技領域とを設け、
前記第１遊技領域には少なくとも前記普図作動口と前記第１特図始動口と、前記第２遊技領域には少なくとも前記普図作動口と前記可変入賞装置とをそれぞれ配し、
前記特図当否判定手段が前記小当りと判定する確率は、前記第１特図始動口への入球に起因するよりも前記第２特図始動口への入球に起因する方を高くするとともに、前記特定領域の通過率は、前記第１特図始動口への入球に起因する前記小当り遊技と前記第２特図始動口への入球に起因する前記小当り遊技とで異なり、
前記大当り遊技、又は前記開放延長状態は前記第２特図始動口への入球に起因する方が有利とする
ことを特徴とする弾球遊技機。
【手続補正２】
【補正対象書類名】明細書
【補正対象項目名】０００９
【補正方法】変更
【補正の内容】
【０００９】
請求項１記載の弾球遊技機は、
常時入球可能な第１特図始動口と、可変入賞装置内に設けた第２特図始動口と、普図作動口とを備え、
前記第１特図始動口、又は前記第２特図始動口への入球に起因して当否を判定する特図当否判定手段と、
前記普図作動口への入球に起因して当否を判定する普図当否判定手段と、
該普図当否判定手段が当選と判定したことに基づいて、前記可変入賞装置を開放させる普図当り遊技と、
前記特図当否判定手段が小当りと判定したことに基づいて特定領域を備えた大入賞口を開放する小当り遊技と、
前記特図当否判定手段が大当りと判定、又は前記小当り遊技にて遊技球が前記特定領域を通過したことに基づいて実行する大当り遊技と、
該大当り遊技終了後に前記可変入賞装置への入球が通常遊技状態時より容易となる開放延長状態を付与可能な弾球遊技機であって、
所定の発射強度未満の発射強度で発射された遊技球が主に流下する第１遊技領域と、所定の発射強度以上の発射強度で発射された遊技球が主に流下する第２遊技領域とを設け、
前記第１遊技領域には少なくとも前記普図作動口と前記第１特図始動口とを、前記第２遊技領域には少なくとも前記普図作動口と前記可変入賞装置とをそれぞれ配し、
前記特図当否判定手段が前記小当りと判定する確率は、前記第１特図始動口への入球に起因するよりも前記第２特図始動口への入球に起因する方を高くするとともに、前記特定領域の通過率は、前記第１特図始動口への入球に起因する前記小当り遊技と前記第２特図始動口への入球に起因する前記小当り遊技とで異なり、
前記大当り遊技、又は前記開放延長状態は前記第２特図始動口への入球に起因する方が有利とする
ことを特徴とする弾球遊技機である。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、検出対象物が接近したことを入力操作として検出するタッチスクリーンと、プロセッサと、メモリとを備えるコンピュータにおいて実行されるものであり、仮想空間内の仮想カメラの配置に応じた画面を前記タッチスクリーンに表示させるものであり、
前記ゲームプログラムは、前記プロセッサに、
前記タッチスクリーンに対する前記入力操作に基づいて、前記タッチスクリーンにおける前記検出対象物の第１の接近位置と、該第１の接近位置とは異なる前記タッチスクリーンにおける前記検出対象物の第２の接近位置を特定し、前記第１の接近位置および前記第２の接近位置に基づいて、前記ゲームキャラクタの前記仮想空間における移動方向を決定するステップと、
前記タッチスクリーンに表示されたゲームキャラクタを前記移動方向に従って移動させ、前記移動方向に従って前記仮想カメラを平行に移動させるステップとを実行させる、ゲームプログラム。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
多段歯車を含む太陽歯車と、
前記太陽歯車と歯合する複数の遊星歯車を有し、前記太陽歯車が固定される軸部に対して外負荷により空転可能に前記軸部に軸支された遊星ドラムと、
前記遊星ドラムに外負荷を与えて回転を停止させる遊星ドラム停止手段と、
前記遊星ドラムの停止位置に応じて複数の前記遊星歯車のいずれかと歯合する出力歯車と、
を備え、
複数の前記遊星歯車の少なくとも一つは、多段歯車を含む、
ことを特徴とする駆動機構。
【請求項２】
前記太陽歯車は、第一平歯車と前記第一平歯車より径の小さい第二平歯車とを有し、
前記遊星歯車は、前記第一平歯車と歯合する第一遊星歯車及び、前記第二平歯車と歯合する第三平歯車と前記第三平歯車より径が小さい第四平歯車とを有した第二遊星歯車を含む、
ことを特徴とする請求項１に記載の駆動機構。
【請求項３】
前記出力歯車は、第一出力歯車と第二出力歯車とを含み、
前記停止位置が第一停止角度のとき、前記第一出力歯車と前記第四平歯車が歯合し、
前記停止位置が第二停止角度のとき、前記第二出力歯車と前記第四平歯車が歯合し、
前記停止位置が第三停止角度のとき、前記第一出力歯車と前記第一遊星歯車が歯合する、
ことを特徴とする請求項２に記載の駆動機構。
【請求項４】
階段部を有し、ユーザの操作に応じて移動する検出部と、
回動制御突起と、前記検出部の位置に応じて前記階段部の第一段、第二段又は第三段に当接する位置決め板とを有する制御板と、
を備え、
前記遊星ドラムは、外周側面に、回転軸方向にずれるとともに周方向にずれた第一爪部、第二爪部及び第三爪部を有し、
前記位置決め板が前記第一段に当接するとき、前記回動制御突起が前記第一爪部と当接して、前記停止位置を前記第一停止角度とし、
前記位置決め板が前記第二段に当接するとき、前記回動制御突起が前記第二爪部と当接して、前記停止位置を前記第二停止角度とし、
前記位置決め板が前記第三段に当接するとき、前記回動制御突起が前記第三爪部と当接して、前記停止位置を前記第三停止角度とする、
ことを特徴とする請求項３に記載の駆動機構。
【請求項５】
請求項３又は請求項４に記載の駆動機構と、
前記第二出力歯車の駆動により回動する歩行動作軸と、
前記歩行動作軸の回転により歩行動作を行う脚部駆動機構を備える、
ことを特徴とする歩行玩具。
【請求項６】
前記脚部駆動機構は、
前記歩行動作軸に対し偏心した前脚偏心軸と前脚駆動軸が挿通される長孔とが形成された前脚杆と、
回動軸を有する後脚板と、
前記前脚杆と前記後脚板とを接続する接続杆と、
を有し、
前記前脚杆、前記後脚板及び前記接続杆は、左右側のそれぞれに設けられた、
ことを特徴とする請求項５に記載の歩行玩具。
【請求項７】
頭部が固定される首回動柱と、
前記首回動柱を左に回動させると、左側の前記前脚駆動軸を上昇させるとともに右側の前記前脚駆動軸を下降させ、前記首回動柱を右に回動させると、右側の前記前脚駆動軸を上昇させるとともに左側の前記前脚駆動軸を下降させる、操舵機構と、
を備えることを特徴とする請求項６に記載の歩行玩具。
【請求項８】
前記第一出力歯車の駆動により回転する尾部動作軸と、
前記尾部動作軸又は前記歩行動作軸の回転により尾部を動作させる尾部駆動機構と、
を備えることを特徴とする請求項５乃至請求項７の何れかに記載の歩行玩具。
【請求項９】
前記尾部動作軸は、軸対称に複数の第一偏心カムを有し、
前記歩行動作軸は、第二偏心カムを有し、
前記尾部駆動機構は、前記第一偏心カム又は前記第二偏心カムによる押圧及び押圧解除により尾部を動作させる、
ことを特徴とする請求項８に記載の歩行玩具。
【手続補正２】
【補正対象書類名】明細書
【補正対象項目名】発明の名称
【補正方法】変更
【補正の内容】
【発明の名称】駆動機構及び歩行玩具
【手続補正３】
【補正対象書類名】明細書
【補正対象項目名】０００１
【補正方法】変更
【補正の内容】
【０００１】
本発明は、駆動機構及び歩行玩具に関する。
【手続補正４】
【補正対象書類名】明細書
【補正対象項目名】０００６
【補正方法】変更
【補正の内容】
【０００６】
本発明は、以上の点に鑑み、簡易な方法で複数の動作切り替えが可能な駆動機構及び歩行玩具を提供することを目的とする。
【手続補正５】
【補正対象書類名】明細書
【補正対象項目名】０００７
【補正方法】変更
【補正の内容】
【０００７】
本発明に係る駆動機構は、多段歯車を含む太陽歯車と、前記太陽歯車と歯合する複数の遊星歯車を有し、前記太陽歯車が固定される軸部に対して外負荷により空転可能に前記軸部に軸支された遊星ドラムと、前記遊星ドラムに外負荷を与えて回転を停止させる遊星ドラム停止手段と、前記遊星ドラムの停止位置に応じて複数の前記遊星歯車のいずれかと歯合する出力歯車と、を備え、複数の前記遊星歯車の少なくとも一つは、多段歯車を含む、ことを特徴とする。
本発明に係る歩行玩具は、上述の駆動機構と、前記第二出力歯車の駆動により回動する歩行動作軸と、前記歩行動作軸の回転により歩行動作を行う脚部駆動機構を備える、ことを特徴とする。
【手続補正６】
【補正対象書類名】明細書
【補正対象項目名】０００８
【補正方法】変更
【補正の内容】
【０００８】
本発明によれば、簡易な方法で複数の動作切り替えが可能な駆動機構及び歩行玩具を提供することができる。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
放射線に基づいて生成した放射線画像を制御装置へ転送する撮影手段と、
前記放射線画像の縮小画像データの転送の中断を判定するための第一の中断判定時間を設定する設定手段と、
前記放射線画像が転送された経過時間が前記第一の中断判定時間を超えている場合、前記縮小画像データの転送を中断する制御手段と、を備え、
前記制御手段は、前記経過時間が前記第一の中断判定時間を超えずに前記縮小画像データの転送が完了した場合、前記放射線画像の全画像データを転送させることを特徴とする放射線撮影システム。
【請求項２】
前記設定手段は、前記放射線画像の全画像データの転送の中断を判定するための第二の中断判定時間を設定することを特徴とする請求項１に記載の放射線撮影システム。
【請求項３】
前記撮影手段は、前記生成した放射線画像の画像サイズを縮小した縮小画像データの転送が完了した後に、前記生成した放射線画像を転送することを特徴とする請求項１に記載の放射線撮影システム。
【請求項４】
前記制御手段は、前記放射線画像の転送にかかる経過時間を計測する計測手段を備え、
前記制御手段は、前記縮小画像データの転送が完了していない場合に、前記計測された時間と、前記第一の中断判定時間との比較に基づいて、前記縮小画像データの転送を継続するか、または中断するかを判定し、
前記制御手段は、前記放射線画像の全画像データの転送が完了していない場合に、前記計測された時間と、前記第二の中断判定時間との比較に基づいて、前記全画像データの転送を継続するか、または中断するかを判定することを特徴とする請求項２に記載の放射線撮影システム。
【請求項５】
前記制御手段は、前記計測された時間が、前記第一の中断判定時間を超えていない場合、前記縮小画像データの転送を継続すると判定し、
前記制御手段は、前記計測された時間が、前記第二の中断判定時間を超えていない場合、前記放射線画像の全画像データの転送を継続すると判定することを特徴とする請求項４に記載の放射線撮影システム。
【請求項６】
前記制御手段は、前記転送を中断する場合、画像転送の中断を示す通知を出力することを特徴とする請求項１乃至５のいずれか１項に記載の放射線撮影システム。
【請求項７】
前記通知を表示手段に表示させる表示制御手段を更に備えることを特徴とする請求項６に記載の放射線撮影システム。
【請求項８】
前記表示制御手段は、前記画像転送が中断した画像データの再転送を指示する再転送指示手段と、前記画像転送の終了を指示する終了指示手段とを前記表示手段の表示画面内に表示させることを特徴とする請求項７に記載の放射線撮影システム。
【請求項９】
前記再転送指示手段から前記画像データの再転送が指示された場合、前記制御手段は、前記中断した転送を再開するように転送制御を行うことを特徴とする請求項８に記載の放射線撮影システム。
【請求項１０】
前記再転送指示手段から前記画像データの再転送が指示された場合、前記制御手段は、前記画像データにおいて中断した画素を示す画素情報に基づいて、前記中断した画素から未転送の画像データを転送するように転送制御を行うことを特徴とする請求項９に記載の放射線撮影システム。
【請求項１１】
前記再転送指示手段から前記画像データの再転送が指示された場合、前記制御手段は、転送開示時の画像データを初めから転送するように転送制御を行うことを特徴とする請求項９または１０に記載の放射線撮影システム。
【請求項１２】
前記第二の中断判定時間は、前記第一の中断判定時間よりも長い時間であることを特徴とする請求項２に記載の放射線撮影システム。
【請求項１３】
前記第一の中断判定時間は、前記縮小画像データを表示手段に表示させるために要する時間であり、前記第二の中断判定時間は、前記放射線画像の全画像データを表示手段に表示させるために要する時間であることを特徴とする請求項４または５に記載の放射線撮影システム。
【請求項１４】
前記転送された画像を受信する受信制御手段を更に備え、
前記受信制御手段は、前記撮影手段により撮影される画像サイズと画像転送が完了した画像データとに基づいて、転送が完了した割合を示す画像転送の進捗率を計算することを特徴とする請求項７乃至１１のいずれか１項に記載の放射線撮影システム。
【請求項１５】
前記表示制御手段は、前記画像転送の進捗率を前記表示手段に表示させることを特徴とする請求項１４に記載の放射線撮影システム。
【請求項１６】
前記受信制御手段は、前記縮小画像データの受信が完了したか否かを判定し、前記縮小画像データの受信が完了している場合、
前記表示制御手段は、前記縮小画像データを前記表示手段に表示させることを特徴とする請求項１４または１５に記載の放射線撮影システム。
【請求項１７】
放射線に基づいて生成した放射線画像を制御装置へ転送する撮影工程と、
前記放射線画像の縮小画像データの転送の中断を判定するための第一の中断判定時間を設定する設定工程と、
前記放射線画像が転送された経過時間が前記第一の中断判定時間を超えている場合、前記縮小画像データの転送を中断する制御工程と、を有し、
前記制御工程では、前記経過時間が前記第一の中断判定時間を超えずに前記縮小画像データの転送が完了した場合、前記放射線画像の全画像データを転送させることを特徴とする放射線撮影方法。
【請求項１８】
コンピュータを、請求項１乃至１６のいずれか１項に記載の放射線撮影システムの各手段として機能させるためのプログラム。
【手続補正２】
【補正対象書類名】明細書
【補正対象項目名】０００７
【補正方法】変更
【補正の内容】
【０００７】
本発明の一態様による放射線撮影システムは、放射線に基づいて生成した放射線画像を制御装置へ転送する撮影手段と、
前記放射線画像の縮小画像データの転送の中断を判定するための第一の中断判定時間を設定する設定手段と、
前記放射線画像が転送された経過時間が前記第一の中断判定時間を超えている場合、前記縮小画像データの転送を中断する制御手段と、を備え、前記制御手段は、前記経過時間が前記第一の中断判定時間を超えずに前記縮小画像データの転送が完了した場合、前記放射線画像の全画像データを転送させることを特徴とする。
【手続補正３】
【補正対象書類名】明細書
【補正対象項目名】発明の名称
【補正方法】変更
【補正の内容】
【発明の名称】放射線撮影システム、放射線撮影方法およびプログラム
【手続補正４】
【補正対象書類名】明細書
【補正対象項目名】０００１
【補正方法】変更
【補正の内容】
【０００１】
本発明は、放射線撮影システム、放射線撮影方法およびプログラムに関するものである。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
遊技に使用するための遊技媒体をベットするベット手段と、
遊技媒体をベットした後、スタートスイッチの操作に基づき、複数種類の当選種別のいずれかを当選種別抽選により決定する当選種別抽選手段と、
前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された前記ストップスイッチに対応する回転リールをそれぞれ停止制御するリール制御手段と、
複数種類の演出状態のいずれかに移行させる状態移行手段と、
複数種類の演出のいずれかを実行する演出制御手段と、
を備え、
前記状態移行手段は、
遊技者に有利な遊技利益を付与可能な所定の演出状態に所定の第１契機で移行させ、
所定の第２条件を満たす前に、前記第２条件と異なる第３条件を満たすと、前記所定の演出状態を終了し、
前記第３条件を満たす前に、前記第２条件を満たすと、前記第２条件と異なる第４条件を満たすまで前記所定の演出状態を継続することを特徴とする遊技機。
【請求項２】
前記状態移行手段は、前記第２条件を満たすと、前記第４条件を満たした後に特定の遊技利益を付与することを特徴とする請求項１に記載の遊技機。
【手続補正２】
【補正対象書類名】明細書
【補正対象項目名】０００９
【補正方法】変更
【補正の内容】
【０００９】
上記課題を解決するために、本発明の遊技機は、遊技に使用するための遊技媒体をベットするベット手段と、遊技媒体をベットした後、スタートスイッチの操作に基づき、複数種類の当選種別のいずれかを当選種別抽選により決定する当選種別抽選手段と、前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された前記ストップスイッチに対応する回転リールをそれぞれ停止制御するリール制御手段と、複数種類の演出状態のいずれかに移行させる状態移行手段と、複数種類の演出のいずれかを実行する演出制御手段と、を備え、前記状態移行手段は、遊技者に有利な遊技利益を付与可能な所定の演出状態に所定の第１契機で移行させ、所定の第２条件を満たす前に、前記第２条件と異なる第３条件を満たすと、前記所定の演出状態を終了し、前記第３条件を満たす前に、前記第２条件を満たすと、前記第２条件と異なる第４条件を満たすまで前記所定の演出状態を継続することを特徴とする。
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
所定の総数の範囲から乱数値を取得する乱数取得手段と、
複数の当選領域が対応付けられた抽選テーブルにおいて、予め定められた順に前記当選領域の当選範囲を示す数値である置数を参照して、取得された前記乱数値に対応する当選領域を決定する当選領域決定手段と、
を備え、
前記抽選テーブルは複数設けられ、
前記複数の抽選テーブルのうち、特定の抽選テーブルに対応付けられた当選領域全ての置数の合計は前記総数未満であり、
前記特定の抽選テーブルは、全ての当選領域に対して、当選領域ごとに１の置数が対応付けられ、前記予め定められた順において先に参照される方から後に参照される方に向かう方向に、いずれかの遊技状態で参照する当選領域、複数の遊技状態で共通して参照する当選領域の順となるように当選領域が配置され、
前記当選領域決定手段は、前記特定の抽選テーブルにおいて、複数の遊技状態で異なる当選領域から参照を開始し、前記複数の当選領域に対応付けられた置数の範囲のいずれにも前記乱数値が含まれていなければ、不当選を決定する遊技機。
【請求項２】
前記特定の抽選テーブルでは、前記予め定められた順において先に参照される方から後に参照される方に向かう方向に、いずれかの遊技状態で参照する全ての当選領域、複数の遊技状態で共通して参照する全ての当選領域の順となるように当選領域が配置される請求項１に記載の遊技機。
【請求項３】
前記当選領域には、少なくとも、小役、リプレイ役、ボーナス役を含む複数の当選種別のいずれかが対応付けられ、
前記特定の抽選テーブルでは、
前記当選領域に対応付けられた当選種別に含まれる当選役が小役、リプレイ役、ボーナス役のいずれであるかに応じて前記当選領域が所定のカテゴリに纏められ、
前記予め定められた順において先に参照される方から後に参照される方に向かう方向に、いずれかの遊技状態で参照する全てのカテゴリ、複数の遊技状態で共通して参照する全てのカテゴリの順となるように当選領域が配置され、
前記当選領域決定手段は、特定の前記抽選テーブルにおいて、複数の遊技状態で異なるカテゴリから参照を開始する請求項１または２に記載の遊技機。
【手続補正２】
【補正対象書類名】明細書
【補正対象項目名】０００９
【補正方法】変更
【補正の内容】
【０００９】
上記課題を解決するために、本発明の遊技機は、所定の総数の範囲から乱数値を取得する乱数取得手段と、複数の当選領域が対応付けられた抽選テーブルにおいて、予め定められた順に前記当選領域の当選範囲を示す数値である置数を参照して、取得された前記乱数値に対応する当選領域を決定する当選領域決定手段と、を備え、前記抽選テーブルは複数設けられ、前記複数の抽選テーブルのうち、特定の抽選テーブルに対応付けられた当選領域全ての置数の合計は前記総数未満であり、前記特定の抽選テーブルは、全ての当選領域に対して、当選領域ごとに１の置数が対応付けられ、前記予め定められた順において先に参照される方から後に参照される方に向かう方向に、いずれかの遊技状態で参照する当選領域、複数の遊技状態で共通して参照する当選領域の順となるように当選領域が配置され、前記当選領域決定手段は、前記特定の抽選テーブルにおいて、複数の遊技状態で異なる当選領域から参照を開始し、前記複数の当選領域に対応付けられた置数の範囲のいずれにも前記乱数値が含まれていなければ、不当選を決定する。
【手続補正３】
【補正対象書類名】明細書
【補正対象項目名】００１０
【補正方法】変更
【補正の内容】
【００１０】
前記特定の抽選テーブルでは、前記予め定められた順において先に参照される方から後に参照される方に向かう方向に、いずれかの遊技状態で参照する全ての当選領域、複数の遊技状態で共通して参照する全ての当選領域の順となるように当選領域が配置されるとしてもよい。
前記当選領域には、少なくとも、小役、リプレイ役、ボーナス役を含む複数の当選種別のいずれかが対応付けられ、前記特定の抽選テーブルでは、前記当選領域に対応付けられた当選種別に含まれる当選役が小役、リプレイ役、ボーナス役のいずれであるかに応じて前記当選領域が所定のカテゴリに纏められ、前記予め定められた順において先に参照される方から後に参照される方に向かう方向に、いずれかの遊技状態で参照する全てのカテゴリ、複数の遊技状態で共通して参照する全てのカテゴリの順となるように当選領域が配置され、前記当選領域決定手段は、特定の前記抽選テーブルにおいて、複数の遊技状態で異なるカテゴリから参照を開始するとしてもよい。
【手続補正書】
【提出日】平成31年4月1日(2019.4.1)
【手続補正１】
【補正対象書類名】明細書
【補正対象項目名】０００９
【補正方法】変更
【補正の内容】
【０００９】
そこで、本発明者は先に新規なシャンプー台等を提案し、特許権を取得した（特許文献１：特許第５２３６３２９号公報）。このシャンプー台は、サービスの提供者の腰痛等を防止するために有用であると、厚生労働省からも認められており、好適に実施されている。
【手続補正２】
【補正対象書類名】明細書
【補正対象項目名】００１０
【補正方法】変更
【補正の内容】
【００１０】
このシャンプー台では、台部が複数の筒を入れ子状に上下方向スライド可能とすることにより、ボウルを昇降させる構造としていた。このようにすると、ボウルをスムーズに昇降できる点では優れているのであるが、シャンプー台が全体としてかなり重いものとなり、コスト高を招きやすいという問題点がある。
【特許文献１】特許第５２３６３２９号公報
【特許文献２】特開２００６−５５４８５号公報
【特許文献３】特開２００７−２０２９９９号公報
【特許文献４】特開２００５−１６８９９２号公報
【特許文献５】特開２００６−２６３１１０号公報
【特許文献６】実開昭５４−１６６９８号公報
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
少なくとも、第１の物品を排出する第１の排出手段を備えた第１の物品排出装置と、該第１の物品排出装置と通信可能に構成され、前記第１の物品とは異なる第２の物品を排出する第２の排出手段を備えた第２の物品排出装置と、を含む物品排出システムであって、
前記第１の物品排出装置は、
前記第１の排出手段が前記第１の物品を排出可能である第１の状態と、前記第１の物品を排出可能ではない第２の状態のいずれであるかを検出する検出手段と、
前記第１の状態において、対価の支払いに応じて前記第１の排出手段に第１の物品を排出させるよう制御する制御手段と、を備え、
前記制御手段は、前記第２の状態となった際に、前記第１の物品とは異なる第２の物品を前記第２の排出手段に排出させるよう制御する物品排出システム。
【請求項２】
少なくとも、前記第２の物品排出装置はゲームプレイを提供するゲーム装置であり、
前記制御手段は、前記第２の物品排出装置がゲームプレイ中ではないことを条件として、前記第２の排出手段に前記第２の物品を排出させるよう制御する
請求項１に記載の物品排出システム。
【請求項３】
少なくとも、前記第２の物品排出装置はゲームプレイを提供するゲーム装置であり、
前記制御手段は、前記第２の物品排出装置がゲームプレイ中であった場合に、当該ゲームプレイが完了したことを条件として、前記第２の排出手段に前記第２の物品を排出させるよう制御する
請求項１に記載の物品排出システム。
【請求項４】
前記第１の物品排出装置と前記第２の物品排出装置とは、同店舗内に設置される請求項１乃至３のいずれか１項に記載の物品排出システム。
【請求項５】
前記第１の物品排出装置は、前記第１の排出手段により排出される前記第１の物品を収容する収容部をさらに備え、
前記検出手段は、前記第１の物品が前記収容部に存在する場合に前記第１の状態と検出し、前記第１の物品が前記収容部に存在しない場合に前記第２の状態と検出する請求項１乃至４のいずれか１項に記載の物品排出システム。
【請求項６】
前記第１の物品排出装置は、前記第２の状態になった場合に、前記第１の物品を排出可能ではないことを報知する報知手段をさらに備える請求項１乃至５のいずれか１項に記載の物品排出システム。
【請求項７】
前記報知手段は、前記第２の状態であること、及び前記第１の物品の補充が必要であること、の少なくともいずれかを前記第１の物品排出装置の表示手段に表示することを含む請求項６に記載の物品排出システム。
【請求項８】
前記報知手段は、前記第２の状態になった場合に、前記第２の物品が前記第２の物品排出装置から排出されることを報知する請求項６または７に記載の物品排出システム。
【請求項９】
前記第２の物品は、対価の支払いに応じて排出される数が前記第１の物品よりも多い、あるいはサイズが前記第１の物品と異なる物品である請求項１乃至８のいずれか１項に記載の物品排出システム。
【請求項１０】
前記第１の物品排出装置は、対価の支払いに応じてゲームを実行する実行手段をさらに備え、
前記第１の排出手段及び前記第２の排出手段は、対価の支払いに基づく１回のゲームプレイにつき、前記ゲームのゲーム内要素に対応する物品を排出する請求項１乃至９のいずれか１項に記載の物品排出システム。
【請求項１１】
前記物品に対応するゲーム内要素には、前記ゲームにおける有用性が定められており、
前記第２の物品に対応するゲーム内要素は、前記第１の物品に対応するゲーム内要素よりも前記ゲームにおける有用性が高い請求項１０に記載の物品排出システム。
【請求項１２】
コンピュータを、請求項１乃至１１のいずれか１項に記載の物品排出システムの各手段として機能させるためのプログラム。
【手続補正２】
【補正対象書類名】明細書
【補正対象項目名】発明の名称
【補正方法】変更
【補正の内容】
【発明の名称】物品排出システム及びプログラム
【手続補正３】
【補正対象書類名】明細書
【補正対象項目名】０００１
【補正方法】変更
【補正の内容】
【０００１】
本発明は、物品排出システム及びプログラムに関し、特に対価の支払いに応じて物品を排出する物品排出装置に関する。
【手続補正４】
【補正対象書類名】明細書
【補正対象項目名】０００４
【補正方法】変更
【補正の内容】
【０００４】
ところで、特許文献１のようなゲーム装置において景品の提供がなされるタイミングは種々であり、ゲームプレイ中に景品補充が必要になったことに応じて報知がなされ、該報知に起因してゲームプレイが停止される可能性もある。このような、ゲームプレイ中の景品補充が必要な状態への遷移によりゲームプレイが停止されることは、ユーザの興趣を低減し得る。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明は、上述の問題点に鑑みてなされたものであり、好適な物品提供を実現する物品排出システム及びプログラムを提供することを目的とする。
【手続補正８】
【補正対象書類名】明細書
【補正対象項目名】０００８
【補正方法】変更
【補正の内容】
【０００８】
前述の目的を達成するために、本発明の物品排出システムは、少なくとも、第１の物品を排出する第１の排出手段を備えた第１の物品排出装置と、該第１の物品排出装置と通信可能に構成され、第１の物品とは異なる第２の物品を排出する第２の排出手段を備えた第２の物品排出装置と、を含む物品排出システムであって、第１の物品排出装置は、第１の排出手段が第１の物品を排出可能である第１の状態と、第１の物品を排出可能ではない第２の状態のいずれであるかを検出する検出手段と、第１の状態において、対価の支払いに応じて第１の排出手段に第１の物品を排出させるよう制御する制御手段と、を備え、制御手段は、第２の状態となった際に、第１の物品とは異なる第２の物品を第２の排出手段に排出させるよう制御する。
【手続補正９】
【補正対象書類名】明細書
【補正対象項目名】０００９
【補正方法】変更
【補正の内容】
【０００９】
このような構成により本発明によれば、好適な物品提供を実現することが可能となる。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を実行し、当該抽選結果に基づいて遊技を制御する遊技制御手段と、
前記遊技の演出を実行可能な演出制御手段と、
前記遊技において出力される音を出力する音出力手段と、
を備え、
前記音出力手段は、音を割り当てることによって出力可能なチャンネルを有し、
前記チャンネルは、出力する音の種類に基づいて複数のグループに分割され、
前記演出制御手段は、
前記複数のグループに含まれる特定のグループのチャンネルに音を割り当てる場合には、当該特定のグループ以外のグループに属するチャンネルに割り当てられた音の出力を抑制し、
前記遊技において、音の出力を所定期間抑制する演出を実行可能とするものの、前記音の出力を所定期間抑制する演出の実行中であっても当該所定期間よりも出力時間の短い特別音の出力を可能とし、
前記特別音は、前記音の出力を所定期間抑制する演出に基づかない演出に関わる音であり、前記所定期間以外のタイミングであっても出力可能とされ、
前記音の出力を所定期間抑制する演出によって抑制された演出音は、前記音の出力を所定期間抑制する演出の終了後に抑制される前のボリューム値で復旧されることを特徴とする遊技機。
【手続補正２】
【補正対象書類名】明細書
【補正対象項目名】０００７
【補正方法】変更
【補正の内容】
【０００７】
上述した目的を達成するため、始動条件の成立に基づいて抽選を実行し、当該抽選結果に基づいて遊技を制御する遊技制御手段と、前記遊技の演出を実行可能な演出制御手段と、前記遊技において出力される音を出力する音出力手段と、を備え、前記音出力手段は、音を割り当てることによって出力可能なチャンネルを有し、前記チャンネルは、出力する音の種類に基づいて複数のグループに分割され、前記演出制御手段は、前記複数のグループに含まれる特定のグループのチャンネルに音を割り当てる場合には、当該特定のグループ以外のグループに属するチャンネルに割り当てられた音の出力を抑制し、前記遊技において、音の出力を所定期間抑制する演出を実行可能とするものの、前記音の出力を所定期間抑制する演出の実行中であっても当該所定期間よりも出力時間の短い特別音の出力を可能とし、前記特別音は、前記音の出力を所定期間抑制する演出に基づかない演出に関わる音であり、前記所定期間以外のタイミングであっても出力可能とされ、前記音の出力を所定期間抑制する演出によって抑制された演出音は、前記音の出力を所定期間抑制する演出の終了後に抑制される前のボリューム値で復旧されることを特徴とする。